(57)【要約】【課題】壁面収納を自由に配置できる建物を提供する。【解決手段】外壁１５ａ〜１５ｄの内面に、室内側に突出する突出壁１６ａ〜１６ｇが複数形成されることによって、これら突出壁と外壁とによって平面視コ字状の凹部２０ａ〜２０ｄが形成されており、この凹部に収納部２１ａ〜２１ｄが設けられている。突出壁は、柱と異なり、外壁の内面の所望の位置に形成できるので、この突出壁と外壁とによって形成された凹部２０ａ〜２０ｄを所望の位置に設けることができ、よって、収納部２１ａ〜２１ｄを所望の位置に自由に配置できる。【選択図】図２
2005325525.tif 000002
【特許請求の範囲】
【請求項１】
外壁の内面に、室内側に突出する突出壁が複数形成されることによって、これら突出壁と外壁とによって平面視コ字状の凹部が形成されており、この凹部に収納部が設けられていることを特徴とする建物。
【請求項２】
請求項１に記載の建物において、
外壁の内面に、水平方向に突出する突出床が、前記突出壁間に外壁の幅方向に沿って帯状に形成されており、この突出床の上側と下側のうちの少なくとも一方側に前記収納部が設けられていることを特徴とする建物。
【請求項３】
請求項２に記載の建物において、
前記突出床は、下階から上階に吹き抜ける吹抜け空間に突出していることを特徴とする建物。
【請求項４】
請求項３に記載の建物において、
前記突出床は、上階の床と同高さ位置に配置されていることを特徴とする建物。
【請求項５】
請求項３または４に記載の建物において、
前記突出床は、前記外壁と平行に離間して設けられた梁部材と、この梁部材と外壁とを接続する床状部材とによって構成されていることを特徴とする建物。
【発明の詳細な説明】
【技術分野】
【０００１】
本発明は、壁面収納を備えた建物に関する。
【背景技術】
【０００２】
建物に備えられている壁面収納の一例として、特許文献１に記載のものが知られている。この壁面収納は、隣り合う柱と、これら柱間にある壁とで形成された凹部を収納空間とし、この収納空間に収納装置をはめ込んだものである。すなわち、収納装置の正面幅に見合う長さの梁部材を天井に固定して設け、該梁部材の下に、適宜間隔で複数の支柱部材を立設して壁面収納装置のフレームを形成し、該フレームに、少なくともその前面を塞ぐ開閉自在の扉，引戸，シャッターなどによる開閉部材を装着したものである。
【特許文献１】特開２００２−３２２８０５号公報
【発明の開示】
【発明が解決しようとする課題】
【０００３】
ところが、このような壁面収納では、隣り合う柱と、これら柱間にある壁とで形成された部分を収納空間とし、この収納空間に収納装置をはめ込んでいるので、収納空間の位置を自由に設定できない。つまり、柱は建物の構造強度上、設置位置を自由に変更できなので、これら柱間に設ける収納空間の位置も自由に設定できない。
【０００４】
本発明は上記事情に鑑みてなされたものであり、壁面収納を自由に配置できる建物を提供することを課題としている。
【課題を解決するための手段】
【０００５】
上記課題を解決するために、請求項１に記載の発明は、例えば図１〜図３に示すように、外壁１５ａ〜１５ｄの内面に、室内側に突出する突出壁１６ａ〜１６ｇ、２６ａ〜２６ｊが複数形成されることによって、これら突出壁と外壁とによって平面視コ字状の凹部２０ａ〜２０ｄ、３０ａ〜３０ｄが形成されており、この凹部に収納部２１ａ〜２１ｄ、３１ａ〜３１ｅが設けられていることを特徴とする。
【０００６】
ここで、前記外壁および突出壁は、パネル工法で使用される壁パネルによって形成してもよいし、在来工法における軸組みで形成してもよいし、さらに、ツーバイフォー工法等によって形成してもよい。
平面視コ字状の凹部は、隣り合う突出壁と、これら突出壁間にある外壁とによって形成してもよいし、建物の角部を形成する平面視Ｌ字状の外壁と、この外壁の端部に形成された突出壁とによって形成してもよい。
【０００７】
請求項１に記載の発明によれば、突出壁１６ａ〜１６ｇ、２６ａ〜２６ｊと外壁１５ａ〜１５ｄとによって平面視コ字状の凹部２０ａ〜２０ｄ、３０ａ〜３０ｄが形成されており、この凹部に収納部２１ａ〜２１ｄ、３１ａ〜３１ｅが設けられているので、壁面収納（収納部）を自由に配置できる。つまり、突出壁１６ａ〜１６ｇ、２６ａ〜２６ｊは、柱と異なり、外壁１５ａ〜１５ｄの内面の所望の位置に形成できるので、この突出壁１６ａ〜１６ｇ、２６ａ〜２６ｊと外壁１５ａ〜１５ｄとによって形成された凹部２０ａ〜２０ｄ、３０ａ〜３０ｄを所望の位置に設けることができ、よって、収納部２１ａ〜２１ｄ、３１ａ〜３１ｅを所望の位置に自由に配置できる。
【０００８】
請求項２に記載の発明は、例えば図２〜図８に示すように、請求項１に記載の建物において、
外壁１５ａ（１５ｄ）の内面に、水平方向に突出する突出床３５（３６）が、前記突出壁２６ａ，２６ｊ（２６ｂ，２６ｃ）間に外壁１５ａ（１５ｄ）の幅方向に沿って帯状に形成されており、この突出床３５（３６）の上側と下側のうちの少なくとも一方側に前記収納部２１ａ（２１ｃ）、３１ａ（３１ｃ）が設けられていることを特徴とする。
前記突出床３５（３６）の外壁１５ａ（１５ｄ）からの突出長さは、３００ｍｍ〜６００ｍｍ程度が望ましい。
【０００９】
請求項２に記載の発明によれば、突出床３５（３６）の上下方向における形成位置を調整することによって、収納部２１ａ（２１ｃ）、３１ａ（３１ｃ）を上下方向の所望の位置に設けることができる。例えば、突出床３５（３６）を天井に近づけて形成することによって、突出床と天井との間に収納部を設けることができる。
【００１０】
請求項３に記載の発明は、請求項２に記載の建物において、
前記突出床３５，３６は、下階から上階に吹き抜ける吹抜け空間２４に突出していることを特徴とする。
【００１１】
請求項３に記載の発明によれば、突出床３５，３６が吹抜け空間２４に突出しているので、収納部２１ａ（２１ｃ）、３１ａ（３１ｃ）を吹抜け空間２４の上下方向の所望の位置に設けることができる。例えば、突出床３５，３６を上階と下階との境界部に形成することによって、上階の吹抜け空間２４に面して収納部を設けることができる。
【００１２】
請求項４に記載の発明は、請求項３に記載の建物において、
前記突出床３５，３６は、上階の床３７と同高さ位置に配置されていることを特徴とする。
【００１３】
請求項４に記載の発明によれば、前記吹抜け空間２４に、後施工によって床４２を施工する際に、突出床３５，３６が、上階の床３７と同高さ位置に配置されているので、後施工床４２を容易に施工できるとともに、後施工床４２および突出床３５，３６の床面を、上階の床３７の床面と面一にすることができる。
【００１４】
請求項５に記載の発明は、請求項３または４に記載の建物において、前記突出床３５，３６は、前記外壁１５ａ，１５ｄと平行に離間して設けられた梁部材４０と、この梁部材４０と外壁１５ａ，１５ｄとを接続する床状部材４１とによって構成されていることを特徴とする。
【００１５】
請求項５に記載の発明によれば、外壁１５ａ，１５ｄが吹抜け空間２４に面していても、外壁１５ａ，１５ｄに作用する水平力を、梁部材４０と床状部材４１とからなる構造部材によって負担して、外壁１５ａ，１５ｄを内側から補強できる。
【発明の効果】
【００１６】
本発明によれば、外壁の内面に、室内側に突出する突出壁が複数形成されることによって、これら突出壁と外壁とによって平面視コ字状の凹部が形成されており、この凹部に収納部が設けられているので、壁面収納（収納部）を自由に配置できる。つまり、突出壁は、柱と異なり、外壁の内面の所望の位置に形成できるので、この突出壁と外壁とによって形成された凹部を所望の位置に設けることができ、よって、収納部を所望の位置に自由に配置できる。
【発明を実施するための最良の形態】
【００１７】
以下、図面を参照して本発明の実施の形態について説明する。
（第１の実施の形態）
図１は本発明に係る建物の概略を示す斜視図、図２は同建物の１階の平面図、図３は同建物の２階の平面図である。
【００１８】
本実施の形態の建物は、２階建ての建物であり、周知のパネル工法によって構築された住宅である。パネル工法は、壁や床、屋根といった構成要素を予め工場にてパネル化しておき、施工現場でこれらのパネルを組立てることによって建物を構築する工法である。パネルは、框材を矩形枠状に組み立てた枠体の少なくとも一方の面に、合板等からなる面材を接着剤等によって取り付けてなるものであり、枠体の内部には必要に応じて補強桟材が縦横に組み付けられる。屋根パネルや床パネルは枠体の上面にのみ面材が取り付けられており、壁パネルは枠体の両面に面材が取り付けられている。
【００１９】
建物１は、平面視矩形状の建物であり、２階に形成されたパラペット壁２の内側において切妻式の屋根３が設けられている。
建物１の１階には、図２に示すように、玄関４に隣接して、浴室５、洗面室６、トイレ７等が連続して配置されている。また、玄関４の玄関ホール４ａの奥側には、食堂８が配置されており、この食堂８に隣接して、台所９と居間１０が配置されている。居間１０は玄関側の外壁からそれに対向する外壁までの大空間とされている。
居間１０は、図２において右側にある第１居間部１１と、左側にある第２居間部１２とによって構成されており、第１居間部１１はその天井が２階の床の下方に位置している通常の部屋であり、第２居間部１２はその上方が２階の天井まで吹き抜けた吹抜け空間となっている。
【００２０】
建物１は、平面視矩形状であり、その外壁は直角に交わる４つの外壁１５ａ，１５ｂ，１５ｃ，１５ｄによって平面視矩形状に形成されている。
建物１の１階においては、外壁１５ａの内面には、第２居間部１２側に突出する突出壁１６ａが形成されており、外壁１５ｄの内面には、第２居間部１２側に突出する突出壁１６ｂが形成されている。突出壁１６ａと突出壁１６ｂとは直角に接合されており、これら突出壁１６ａ，１６ｂと角部に位置する外壁１５ａ，１５ｄとによって矩形筒状の柱部１７が形成されている。
また、外壁１５ｄには、第２居間部１２側に突出する突出壁１６ｃと第１居間部１１側に突出する突出壁１６ｄが所定間隔離間して形成されている。さらに、外壁１５ｃには、第１居間部１１側に突出する突出壁１６ｅと突出壁１６ｆが所定間隔離間して形成されている。前記突出壁１６ｄと突出壁１６ｅとは直角に接合されており、これら突出壁１６ｄ，１６ｅと角部に位置する外壁１５ｄ，１５ｃとによって矩形筒状の柱部１８が形成されている。また、外壁１５ｃには、台所９側に突出する突出壁１６ｇが前記突出壁１６ｆと所定間隔離間して形成されている。さらに、外壁１５ａには、浴室４側に突出する突出壁１６ｈが形成されており、この突出壁１６ｈに浴室と玄関４とを仕切る内壁が接続されている。
【００２１】
上記のように建物１の１階には、外壁１５ａ〜１５ｄに、室内側に突出する複数の突出壁１６ａ〜１６ｇが形成されている。そして、突出壁１６ｂ，１６ｃと、これらの間にある外壁１５ｄとによって平面視コ字状の凹部２０ａが形成されており、この凹部２０ａに収納部２１ａが設けられている。収納部２１ａは、帯状の板を上下、左右に格子状に組み立て、多数の矩形の収納ボックスを備えた構成となっており、出入れ口は前面側に開口している。また、この収納部２１ａは、凹部２０ａ内一杯に設けられている。
また、突出壁１６ｅ，１６ｆと、これらの間にある外壁１５ｃとによって平面視コ字状の凹部２０ｂが形成されており、この凹部２０ｂに収納部２１ｂが設けられている。この収納部２１ｂは、縦長の側板を所定間隔で平行に配置することによって、内部に複数の縦長の収納を備えたものであり、戸によって開閉できるようになっている。この収納部２１ｂは、凹部２０ｂ内一杯に設けられている。
【００２２】
さらに、突出壁１６ａと、平面視Ｌ字状の外壁１５ａとによって平面視コ字状の凹部２０ｃが形成されており、この凹部２０ｃに収納部２１ｃが設けられている。この収納部２１ｃは、横長の棚板を上下に平行に配置することによって形成されたオープンタイプのものであり、凹部２０ｃ内一杯に設けられている。
また、突出壁１６ｇと、建物の角部において平面視Ｌ字状の外壁１５ｃとによって平面視コ字状の凹部２０ｄが形成されており、この凹部２０ｄに収納部２１ｄが設けられている。この収納部２１ｄは、キッチン収納家具で構成されている。
以上のように、建物１の１階には４つの収納部２１ａ〜２１ｄが壁面に沿って設けられている。
【００２３】
建物１の２階には、図３に示すように、大きな広間２２が設けられており、この広間２２は間仕切壁等によって自由に仕切れるようになっている。２階の床には開口部２３が形成されており、その面積は２階の床面積の約１／４となっている。この開口部２３の下方に、１階の第２居間部１２が配置されており、これによって、第２居間部１２の上方は、２階の天井まで吹き抜けた吹抜け空間２４とされている。また、この吹抜け空間２４を利用して、１階から２階に至る階段２５が設けられている。
【００２４】
また、建物１の２階においては、図３に示すように、外壁１５ａの内面に、広間２２側に突出する突出壁２６ａが形成されており、外壁１５ｄの内面には、広間２２側に突出する突出壁２６ｂが形成されている。突出壁２６ａと突出壁２６ｂとは直角に接合されており、これら突出壁２６ａ，２６ｂと角部に位置する外壁１５ａ，１５ｄとによって矩形筒状の柱部２７が形成されている。この柱部２７は１階の柱部１７の延長上に位置しており、該１階の柱部１７と接合されている。
また、外壁１５ｄには、広間２２側に突出する突出壁２６ｃと突出壁２６ｄが所定間隔離間して形成されており、突出壁２６ｃには、手摺壁２３ａが接続されている。さらに、外壁１５ｃには、広間２２側に突出する突出壁２６ｅと突出壁２６ｆが所定間隔離間して形成されている。前記突出壁２６ｄと突出壁２６ｅとは直角に接合されており、これら突出壁２６ｄ，２６ｅと角部に位置する外壁１５ｄ，１５ｃとによって矩形筒状の柱部２８が形成されている。この柱部２８は１階の柱部１８の延長上に位置しており、該１階の柱部１８と接合されている。また、外壁１５ｃには、広間２２側に突出する突出壁２６ｇが前記突出壁２６ｆと所定間隔離間して形成されている。さらに、外壁１５ａには、広間２２側に突出する突出壁２６ｈが形成されている。さらに外壁１５ａには、広間２２側に突出する突出壁２６ｊが設けられており、この突出壁２６ｊに、手摺壁２３ｂが接続されている。
【００２５】
上記のように建物１の２階には、外壁１５ａ〜１５ｄに、室内側に突出する複数の突出壁２６ａ〜２６ｈが形成されている。なお、突出壁２６ａ〜２６ｈは、前記１階の突出壁１６ａ〜１６ｈの延長上にそれぞれ形成されている。
そして、突出壁２６ｂ，２６ｃと、これらの間にある外壁１５ｄとによって平面視コ字状の凹部３０ａが形成されている。また、突出壁２６ｅ，２６ｆと、これらの間にある外壁１５ｃとによって平面視コ字状の凹部３０ｂが形成されており、この凹部３０ｂに収納部３１ｂが設けられている。収納部３１ｂは、天井に近い位置に設けられた、オープンボックス状のものであり、凹部３０ｂ内の上部に設けられている。
さらに、突出壁２６ａ，２６ｊとこれらの間にある外壁１５ａとによって平面視コ字状の凹部３０ｃが形成されている。また、突出壁２６ｇと、平面視Ｌ字状の外壁１５ｃとによって平面視コ字状の凹部３０ｄが形成されており、この凹部３０ｄに収納部３１ｄが設けられている。この収納部３１ｄは、天井に近い位置に設けられた、オープンボックス状のものであり、凹部３０ｄ内の上部に設けられている。
また、突出壁２６ｈと、平面視Ｌ字状の外壁１５ａとによって平面視コ字状の凹部３０ｅが形成されており、この凹部３０ｅに収納部３１ｅが設けられている。この収納部３１ｅは、縦長の側板を所定間隔で平行に配置することによって、内部に複数の縦長の収納を備えたものであり、戸によって開閉できるようになっている。この収納部３１ｅは、凹部３０ｅ内一杯に設けられている。
以上のように、建物１の２階には３つの収納部３１ｂ，３１ｄ，３１ａが壁面に沿って設けられている。
【００２６】
また、前記外壁１５ａの内面には、水平方向に突出する突出床３５が、突出壁２６ａ，２６ｊ間に外壁１５ａの幅方向に沿って帯状に形成されており、この突出床３５の下方に前記１階の収納部２１ｃが設けられている。なお、本実施の形態では、突出床３５の上方には、収納部は設けられていないが、この突出床３５の上方でかつ前記突出壁２６ａ，２６ｊ間に収納部を設けてもよい。
さらに、前記外壁１５ｄの内面には、水平方向に突出する突出床３６が、突出壁２６ｂ，２６ｃ間に外壁１５ｃの幅方向に沿って帯状に形成されており、この突出床３６の下方に前記１階の収納部２１ａが設けられている。なお、本実施の形態では、突出床３６の上方には、収納部は設けられていないが、この突出床３６の上方でかつ前記突出壁２６ｂ，２６ｃ間に収納部を設けてもよい。
【００２７】
前記突出床３５，３６は１階から２階に吹き抜ける前記吹抜け空間２４に突出している。また、突出床３５，３６は、２階の床３５と同高さ位置に配置されている。２階の床３７の端部は、梁３８の側面に固定された受け材３８ａによって支持されている。前記突出床３５は、外壁１５ａと平行に離間して設けられた梁部材４０と、この梁部材４０と外壁１５ａとを接続する床パネル（床状部材）４１とによって構成されており、この床パネル４１は梁部材４０の側面に固定された受け材４０ａによって支持されている。同様に、前記突出床３６は、外壁１５ｄと平行に離間して設けられた梁部材４０と、この梁部材４０と外壁１５ａとを接続する床パネル（床状部材）４１とによって構成されており、この床パネル４１は梁部材４０の側面に固定された受け材４０ａによって支持されている。床パネル４１は、パネル工法において使用される構造材としての木質パネルであり、框材を矩形枠上に組み立ててなる枠体の上面に合板等の面材を取り付けて形成されたものであり、枠体内には必要に応じて補強桟材が縦横に組み付けられている。
【００２８】
このように、突出床３５，３６が、２階の床３５と同高さ位置に配置されているので、前記吹抜け空間２４に、後施工床４２を容易に施工できるとともに、後施工床４２および突出床３５，３５の床面を、２階の床３７の床面と面一にすることができる。すなわち、図４に示すように、梁部材４０と梁３８の対向する側面に受け材４３，４３を固定しておき、これら受け材４３，４３によって後施工床４３を支持することによって、吹抜け空間２４に、後施工床４２を容易に施工できるとともに、後施工床４２および突出床３５，３５の床面を、２階の床３７の床面と面一にすることができる。なお、この後施工床４２は、パネル工法において使用される床パネルによって形成すればよい。
【００２９】
また、突出床３５，３６は、外壁１５ａ，１５ｄと平行に離間して設けられた梁部材４０と、この梁部材４０と外壁１５ａ，１５ｄとを接続する床状部材４１とによって構成されているので、外壁１５ａ，１５ｄが吹抜け空間に面していても、外壁１５ａ，１５ｄに作用する水平力を、梁部材４０と床状部材４１とからなる構造部材によって負担して、外壁を内側から補強できる。
【００３０】
（第２の実施の形態）
図５および図６は、本発明の第２実施の形態を示すもので、図５は建物の１階の平面図、図６は２階の平面図である。本実施の形態の建物では、２階の床に形成する開口部２３を図３に示す開口部２３より小さく形成するとともに、階段２５をその登り方向を逆に向けて設置している。なお、図５および図６において、図２および図３に示す建物と同一構成要素には、同一符号を付してその説明を省略または簡略化する。
本実施の形態の建物では、１階には、図５に示すように、第１の実施の形態と同様に４つの収納部２１ａ〜２１ｄが設けられており、２階には、図６に示すように、第１の実施の形態と同様に３つの収納部３１ｂ，３１ｄ，３１ｅが設けられるとともに、さらに、収納部３１ｃが追加して設けられている。
【００３１】
２階においては、突出床３５と吹抜け空間２４との間に、２階の床３７の一部が回廊３７ａとして配置されており、この回廊３７ａが突出床３５に接合されている。そして、突出壁２６ａ，２６ｊとこれらの間にある外壁１５ａとによって形成された平面視コ字状の凹部３０ｃに、前記収納部３１ｃが、突出床３５上において設けられている。つまり、２階においては、吹抜け空間２４と、突出床３５との間に２階の床３７の一部である回廊３７ａを設けることによって、回廊３７ａと突出床３５とを接続し、この突出床３５上で、かつ前記凹部３０ｃに収納部３１ｃが設けられている。
【００３２】
（第３の実施の形態）
図７および図８は、本発明の第３実施の形態を示すもので、図７は建物の１階の平面図、図８は２階の平面図である。本実施の形態の建物では、２階の床に形成する開口部２３を図６に示す開口部２３より小さく形成している。なお、図７および図８において、図２および図３に示す建物と同一構成要素には、同一符号を付してその説明を省略または簡略化する。
本実施の形態の建物では、１階には、図７に示すように、第１の実施の形態と同様に４つの収納部２１ａ〜２１ｄが設けられており、２階には、図６に示すように、第１の実施の形態と同様に３つの収納部３１ｂ，３１ｄ，３１ｅが設けられるとともに、さらに、収納部３１ｃ，３１ａが追加して設けられている。
【００３３】
２階においては、突出床３５，３６と吹抜け空間２４との間に、２階の床３７の一部が突出床３５，３６に沿って配置されており、この床３７の一部が突出床３５，３６に接合されている。そして、突出壁２６ａ，２６ｊとこれらの間にある外壁１５ａとによって形成された平面視コ字状の凹部３０ｃに、前記収納部３１ｃが、突出床３５上において設けられている。また、突出壁２６ｂ，２６ｃとこれらの間にある外壁１５ｄとによって形成された平面視コ字状の凹部３０ａに、前記収納部３１ａが、突出床３６上において設けられている。つまり、２階においては、吹抜け空間２４と、突出床３５，３６との間に２階の床３７の一部を突出床３５，３６に沿って設けることによって、この床３７の一部と突出床３５，３６とを接続し、この突出床３５，３６上で、かつ前記凹部３０ｃ，３０ａに収納部３１ｃ，３１ａが設けられている。
【００３４】
以上のように、第１実施の形態から第３実施の形態によれば、外壁１５ａ〜１５ｄの内面に、室内側に突出する突出壁１６ａ〜１６ｇ、２６ａ〜２６ｊが複数形成されることによって、これら突出壁と外壁とによって平面視コ字状の凹部２０ａ〜２０ｄ、３０ａ〜３０ｄが形成されており、この凹部に収納部２１ａ〜２１ｄ、３１ａ〜３１ｅが設けられているので、壁面収納（収納部）を自由に配置できる。つまり、突出壁１６ａ〜１６ｇ、２６ａ〜２６ｊがは、柱と異なり、外壁１５ａ〜１５ｄの内面の所望の位置に形成できるので、この突出壁壁１６ａ〜１６ｇ、２６ａ〜２６ｊと外壁１５ａ〜１５ｄとによって形成された凹部２０ａ〜２０ｄ、３０ａ〜３０ｄを所望の位置に設けることができ、よって、収納部２１ａ〜２１ｄ、３１ａ〜３１ｅを所望の位置に自由に配置できる。
また、外壁１５ａ，１５ｄの内面に、水平方向に突出する突出床３５，３６が、突出壁間に外壁の幅方向に沿って帯状に形成されているので、突出床３５，３６の上下方向における形成位置を調整することによって、収納部２１ａ，３１ａや収納部２１ｃ，３１ｃを上下方向の所望の位置に設けることができる。例えば、突出床３５，３６を１階と２階との境界部に設けることによって、１階と２階とにそれぞれ収納部２１ａ，３１ａ、２１ｃ，３１ｃを設けることができ、また、突出床３５，３６を天井に近づけて形成することによって、突出床３５，３６と天井との間に収納部を設けることができる。
【００３５】
なお、本実施の形態では、凹部２０ａ〜２０ｄの全てにそれぞれ収納部２１ａ〜２１ｄを設けたが、凹部２０ａ〜２０ｄ全てに収納部を設けず、一部の凹部に収納部を設けてもよい。また、各凹部には、その内部全てに収納部を設けてもよいし、凹部内の一部に収納部を設けてもよい。また、凹部に、それを開閉する戸を設けてもよいし、凹部に設けた収納部にそれを開閉する戸を設けてもよい。
【図面の簡単な説明】
【００３６】
【図１】本発明に係る建物の第１実施の形態を示すものであり、建物の概略を示す斜視図である。
【図２】同、建物の１階の平面図である。
【図３】同、建物の２階の平面図である。
【図４】同、突出床が設けられた状態を示す要部の側断面図である。
【図５】本発明に係る建物の第２実施の形態を示すものであり、建物の１階の平面図である。
【図６】同、建物の２階の平面図である。
【図７】本発明に係る建物の第３実施の形態を示すものであり、建物の１階の平面図である。
【図８】同、建物の２階の平面図である。
【符号の説明】
【００３７】
１  建物
１５ａ〜１５ｄ  外壁
１６ａ〜１６ｇ  突出壁
２０ａ〜２０ｄ  凹部
２１ａ〜２１ｄ  収納部
２４  吹抜け空間
２６ａ〜２６ｊ  突出壁
３０ａ〜３０ｅ  凹部
３１ａ〜３１ｄ  収納部
３５，３６  突出壁
３７  ２階の床（上階の床）
４０  梁部材
４１  床パネル（床状部材）
４２  後施工床
【図１】
2005325525.tif 000003
【図２】
2005325525.tif 000004
【図３】
2005325525.tif 000005
【図４】
2005325525.tif 000006
【図５】
2005325525.tif 000007
【図６】
2005325525.tif 000008
【図７】
2005325525.tif 000009
【図８】
2005325525.tif 000010